(57)【要約】【課題】遠心圧縮機１の作動域を十分に確保しかつ隣接するディフューザベーン１５間におけるエネルギー損失の減少させた上で、ディフューザベーン１５の出口側においてエネルギー損失の大きな領域を縮小して、遠心圧縮機１の圧縮機効率を十分に向上させること。【解決手段】ベーンドディフューザ１１は、ケーシング３のハブ側壁面３ａに埋設された環状のディフューザプレート１３と、ケーシング３におけるハブ側壁面１３ａとシュラウド側壁面１３ｂによって形成される環状のディフューザ流路ＤＰ内に周方向へ間隔を置いて配設されかつ基縁部がディフューザプレート１３に一体的にそれぞれ連結された複数のディフューザベーン１５を備えてあって、各ディフューザベーン１５の基縁部の周縁にフィレットアール１７がそれぞれ形成され、各ディフューザベーン１５におけるフィレットアール１７は、それぞれ、後縁側１７ｐの曲率半径Ｒが前縁側１７ｆの曲率半径Ｒよりも大きくなっていること。【選択図】図１
2009197613.tif 000002
【特許請求の範囲】
【請求項１】
ガスを遠心力を利用して圧縮する遠心圧縮機において、
内側にガスを圧縮するための圧縮領域を有し、前記圧縮領域の上流側にガスを前記圧縮領域側へ導入可能な導入口が形成されたケーシングと、
前記ケーシングの前記圧縮領域に設けられ、軸心を中心として回転可能なハブと、
前記ハブの外周面に周方向に間隔を置いて設けられた複数のインペラブレードと、
前記ケーシングの前記圧縮領域の下流側に設けられ、前記ケーシングのハブ側壁面又はシュラウド側壁面に設けられたディフューザプレートと、前記ケーシングにおけるハブ側壁面とシュラウド側壁面によって形成される環状のディフューザ流路内に周方向へ間隔を置いて配設されかつ基縁部が前記ディフューザプレートに一体的にそれぞれ連結された複数のディフューザベーンを備えてあって、各ディフューザベーンの基縁部の周縁にフィレットアールがそれぞれ形成されたベーンドディフューザと、を具備し、
各ディフューザベーンにおける前記フィレットアールは、それぞれ、下流側の曲率半径が上流側の曲率半径よりも大きくなっていることを特徴とする遠心圧縮機。
【請求項２】
各ディフューザベーンの上流側縁部の翼断面形状は、それぞれ、曲率半径が先端側に向かって漸次に小さくなるような曲線形状であることを特徴とする請求項１に記載の遠心圧縮機。
【請求項３】
ガスを遠心力を利用して圧縮する遠心圧縮機に用いられるディフューザベーンユニットにおいて、
前記遠心圧縮機におけるケーシングのハブ側壁面又はシュラウド側壁面に配設可能なディフューザプレートと、
基縁部が前記ディフューザプレートに一体的にそれぞれ連結され、基縁部の周縁にフィレットアールがそれぞれ形成された複数のディフューザベーンと、を具備し、
各ディフューザベーンにおける前記フィレットアールは、それぞれ、後縁側の曲率半径が前縁側の曲率半径よりも大きくなっていることを特徴とするディフューザベーンユニット。
【請求項４】
各ディフューザベーンの前縁部の翼断面形状は、それぞれ、曲率半径が先端側に向かって漸次に小さくなるような曲線形状であることを特徴とするディフューザベーンユニット。
【発明の詳細な説明】
【技術分野】
【０００１】
本発明は、空気等のガスを遠心力を利用して圧縮する遠心圧縮機、及びこの遠心圧縮機に用いられるディフューザベーンユニットに関する。
【背景技術】
【０００２】
遠心圧縮機におけるディフューザには、ベーンドディフューザとベーンレスディフューザの２種類があり、船舶過給機、ガスタービン等に用いられる遠心圧縮機においては、圧縮機効率の高効率化を目的としてベーンドディフューザをディフューザとして採用する場合が多い。そして、ベーンドディフューザを採用した従来の遠心圧縮機の構成等について図７及び図８（ａ）（ｂ）を参照して説明すると、次のようになる。ここで、図７は、従来の遠心圧縮機の断面図、図８（ａ）は、従来のディフューザベーンをケーシングのシュラウド側壁面から見た図、図８（ｂ）は、従来のディフューザベーンの斜視図である。
【０００３】
図７に示すように、従来の遠心圧縮機１０１は、ケーシング１０３を具備しており、このケーシング１０３は、内側に、空気（ガスの一例）を圧縮するための圧縮領域ＣＲを有している。また、ケーシング１０３の圧縮領域ＣＲの上流側には、空気を圧縮領域ＣＲ側へ導入可能な導入口１０５が形成されている。
【０００４】
ケーシング１０３の圧縮領域ＣＲには、ハブ１０７が設けられており、このハブ１０７は、軸心（ハブ１０７の軸心）を中心として回転可能である。また、ハブ１０７の外周面には、複数のインペラブレード１０９が周方向に間隔を置いて設けられており、各インペラブレード１０９の外縁部の先端は、ケーシング１０３のシュラウド側壁面１０３ａにそれぞれ近接してある。
【０００５】
図７及び図８（ａ）（ｂ）に示すように、ケーシング１０３の圧縮領域ＣＲの下流側には、空気の速度エネルギーを圧力エネルギーに変換するベーンドディフューザ１１１が設けられている。そして、ベーンドディフューザ１１１は、ケーシングのハブ側壁面１０３ｂに埋設された円弧状のディフューザプレート１１３と、ケーシング１０３におけるシュラウド側壁面１０３ａとハブ側壁面１０３ｂによって形成される環状のディフューザ流路ＤＰ内に周方向へ間隔を置いて配設されたかつ基縁部がディフューザプレート１１３にそれぞれ一体的に連結された複数のディフューザベーン１１５を備えている。また、各ディフューザベーン１１５の基縁部の周縁には、フィレットアール１１７がそれぞれ形成されており、各ディフューザベーン１１５におけるフィレットアール１１７は、それぞれ、曲率半径が前縁側１１７ｆから後縁側１１７ｐに亘って同じである。
【０００６】
従って、例えばタービンホイール（図示省略）の回転等によりハブ１０７を回転させて、複数のインペラブレード１０９を一体的に回転させることにより、導入口１０５から圧縮領域ＣＲ側に導入した空気を遠心力を利用して圧縮することができる。そして、圧縮された空気は、ベーンドディフューザ１１１により昇圧されてディフューザ流路ＤＰから排気される。
【０００７】
なお、本発明に関連する先行技術として特許文献１及び特許文献２に示すものがある。
【特許文献１】特開平１０−７７９９７号公報
【特許文献２】特開２００４−１２４７１５号公報
【発明の開示】
【発明が解決しようとする課題】
【０００８】
ところで、圧縮された空気がベーンドディフューザ１１１により昇圧され、ディフューザベーン１１５の出口側における空気の圧力がディフューザベーン１１５の入口側における空気の圧力に比べて高くなっている。また、ディフューザベーン１１５とディフューザプレート１１３との境界部分の近傍においては、空気流の慣性の影響が小さく、二次流れが増大する傾向にある。そのため、ディフューザベーン１１５の出口側へ流れた空気の一部が逆流して、図９（ａ）（ｂ）に示すように、ディフューザベーン１１５の出口側においてエネルギー損失（圧力損失）の大きな領域（図９（ａ）（ｂ）において点ハッチを施した領域）が拡大して、遠心圧縮機１０１の圧縮機効率の低下を招くという問題がある。ここで、図９（ａ）は、従来のディフューザベーンの等スパン面におけるエネルギー損失の大きい領域を示す図、図９（ｂ）は、従来のディフューザベーンの出口側でかつ空気の流れ方向に直交する面におけるエネルギー損失の大きい領域を示す図であって、エネルギー損失の大きな領域は、ＣＦＤ（Computational Fluid Dynamics）解析によって求めている。
【０００９】
一方、前述の問題を解決するために、フィレットアール１１７の曲率半径を大きくするという改善策も考えられる。即ち、フィレットアール１１７の曲率半径を大きくすることにより、ディフューザベーン１１５の出口側の流路面積を縮小して、ベーンドディフューザ１１１による空気の昇圧を抑制すると共に、ディフューザベーン１１５とディフューザプレート１１３との境界部分の近傍における空気流の慣性の影響を大きくして、二次流れを低減しようとするものである。
【００１０】
しかしながら、ベーンドディフューザ１１１による空気の昇圧を抑制したり、ディフューザベーン１１５とディフューザプレート１１３との境界部分の近傍における二次流れを低減したりする程度に、フィレットアール１１７の曲率半径を大きくすると、ディフューザベーン１１５の入口側の流路面積の縮小により、空気のチョーク流量の減少及びディフューザベーン１１５の入口側におけるマッハ数（入口マッハ数）の増加を招くことになる。そのため、遠心圧縮機１０１の作動域が狭くなったり、隣接するディフューザベーン１１５間におけるエネルギー損失が増大したりするという新たな問題が生じ、前述の改善策も実用化に至っていない。
【００１１】
そこで、本発明は、ガスのチョーク流量の減少及びディフューザベーンの入口マッハ数の増加を抑制しつつ、ディフューザベーンの出口側においてエネルギー損失の大きな領域を縮小することができる、新規な構成の遠心圧縮機及びディフューザベーンユニットを提供することを目的とする。
【課題を解決するための手段】
【００１２】
本発明の第１の特徴は、ガスを遠心力を利用して圧縮する遠心圧縮機において、内側にガスを圧縮するための圧縮領域を有し、前記圧縮領域の上流側にガスを前記圧縮領域側へ導入可能な導入口が形成されたケーシングと、前記ケーシングの前記圧縮領域に設けられ、軸心を中心として回転可能なハブと、前記ハブの外周面に周方向に間隔を置いて設けられた複数のインペラブレードと、前記ケーシングの前記圧縮領域の下流側に設けられ、前記ケーシングのハブ側壁面又はシュラウド側壁面に設けられたディフューザプレートと、前記ケーシングにおけるハブ側壁面とシュラウド側壁面によって形成される環状のディフューザ流路内に周方向へ間隔を置いて配設されかつ基縁部が前記ディフューザプレートに一体的にそれぞれ連結された複数のディフューザベーンを備えてあって、各ディフューザベーンの基縁部の周縁にフィレットアールがそれぞれ形成されたベーンドディフューザと、を具備し、各ディフューザベーンにおける前記フィレットアールは、それぞれ、下流側の曲率半径が上流側の曲率半径よりも大きくなっていることを要旨とする。
【００１３】
なお、特許請求の範囲及び明細書において、「上流側」とは、主流のガスの流れ方向から見て上流側のことであって、「下流側」とは、主流のガスの流れ方向から見て下流側のことである。
【００１４】
第１の特徴によると、前記ハブを回転させて、複数の前記インペラブレードを一体的に回転させることにより、前記導入口から前記圧縮領域側に導入したガスを遠心力を利用して圧縮することができる。そして、圧縮されたガスは、前記ベーンドディフューザにより昇圧されて前記ディフューザ流路から排気される（前記遠心圧縮機の一般的な作用）。
【００１５】
また、各ディフューザベーンにおける前記フィレットアールは、それぞれ、下流側の曲率半径が上流側の曲率半径よりも大きくなっているため、前記ディフューザベーンの入口側の流路面積を十分に確保した上で、前記ディフューザベーンの出口側の流路面積を縮小すると共に、前記ディフューザベーンと前記ディフューザプレートとの境界部分の近傍におけるガス流の慣性の影響を大きくことができる。これにより、ガスのチョーク流量の減少及び前記ディフューザベーンの入口側におけるマッハ数（入口マッハ数）の増加を抑制しつつ、前記ベーンドディフューザによるガスの昇圧を抑制しかつ前記ディフューザベーンと前記ディフューザプレートとの境界部分の近傍における二次流れを低減して、前記ディフューザベーンの出口側においてエネルギー損失の大きな領域を縮小することができる（前記遠心圧縮機の特有の作用）。
【００１６】
本発明の第２の特徴は、ガスを遠心力を利用して圧縮する遠心圧縮機に用いられるディフューザベーンユニットにおいて、前記遠心圧縮機におけるケーシングのハブ側壁面又はシュラウド側壁面に配設可能（埋設可能を含む）なディフューザプレートと、基縁部が前記ディフューザプレートに一体的にそれぞれ連結され、基縁部の周縁にフィレットアールがそれぞれ形成された複数のディフューザベーンと、を具備し、各ディフューザベーンにおける前記フィレットアールは、それぞれ、後縁側の曲率半径が前縁側の曲率半径よりも大きくなっていることを要旨とする。
【００１７】
第２の特徴によると、各ディフューザベーンにおける前記フィレットアールは、それぞれ、後縁側の曲率半径が前縁側の曲率半径よりも大きくなっているため、前記ディフューザベーンユニットを前記遠心圧縮機に用いた場合には、前記遠心圧縮機の特有の作用と同様の作用を奏する。
【発明の効果】
【００１８】
本発明によれば、ガスのチョーク流量の減少及び前記ディフューザベーンの入口マッハ数の増加を抑制しつつ、前記ディフューザベーンの出口側においてエネルギー損失の大きな領域を縮小することができるため、前記遠心圧縮機の作動域を十分に確保しかつ隣接する前記ディフューザベーン間におけるエネルギー損失の減少させた上で、前記ディフューザベーンの出口側へ流れたガスの一部が逆流することを抑制しつつ、前記ディフューザベーンの出口側においてエネルギー損失の大きな領域を縮小して、前記遠心圧縮機の圧縮機効率を十分に向上させることができる。
【発明を実施するための最良の形態】
【００１９】
本発明の実施形態について図１から図６を参照して説明する。ここで、図１は、本発明の実施形態に係る遠心圧縮機の断面図、図２（ａ）は、本発明の実施形態に係るディフューザベーンをケーシングのシュラウド側壁面から見た図、図２（ｂ）は、本発明の実施形態に係るディフューザベーンの斜視図、図３（ａ）は、図２（ａ）におけるIIIA-IIIA線に沿った拡大断面図、図３（ｂ）は、図２（ａ）におけるIIIB-IIIB線に沿った拡大断面図、図３（ｃ）は、図２（ａ）におけるIIIC-IIIC線に沿った拡大断面図、図４（ａ）（ｂ）は、本発明の実施形態に係るディフューザベーンの上流側縁部の翼断面形状を示す図、図５（ａ）は、本発明の実施形態に係るディフューザベーンの等スパン面におけるエネルギー損失の大きい領域を示す図、図５（ｂ）は、本発明の実施形態に係るディフューザベーンの出口側でかつ空気の流れ方向に直交する面におけるエネルギー損失の大きい領域を示す図、図６は、本発明の実施形態にの変形例に係る遠心圧縮機の断面図である。
【００２０】
図１に示すように、本発明の実施形態に係る遠心圧縮機１は、船舶過給機、ガスタービン等に用いられ、空気（ガスの一例）を遠心力を利用して圧縮するものである。そして、本発明の実施形態に係る遠心圧縮機１の具体的な構成は、以下のようになる。
【００２１】
遠心圧縮機１は、ケーシング３を具備しており、このケーシング３は、内側に、空気（ガスの一例）を圧縮するための圧縮領域ＣＲを有している。また、ケーシング３の圧縮領域ＣＲの上流側には、空気を圧縮領域ＣＲ側へ導入可能な導入口５が形成されている。また、ケーシング３は、別のケーシング（図示省略）に一体的に取付られている。
【００２２】
ケーシング３の圧縮領域ＣＲには、ハブ７が設けられており、このハブ７の外周面は、軸心方向（ハブ７の軸心方向）から径方向（ハブ７の径方向）外側に向かって延びている。また、ハブ７は、別のケーシングに回転可能に設けられたタービン軸ＴＳの一端部に一体的に連結されてあって、軸心（ハブ７の軸心、換言すれば、タービン軸ＴＳの軸心）を中心として回転可能である。なお、タービン軸ＴＳの他端部には、タービンホイール（図示省略）が一体的に連結されている。
【００２３】
ハブ７の外周面には、複数のインペラブレード９が周方向に間隔を置いて設けられており、各インペラブレード９は、ハブ７の軸心方向からハブ７の径方向外側に向かってそれぞれ延びている。また、各インペラブレード９の外縁部の先端は、ケーシング３のシュラウド側壁面３ａにそれぞれ近接してある。
【００２４】
図１及び図２（ａ）（ｂ）に示すように、ケーシング３の圧縮領域ＣＲの下流側には、空気の速度エネルギーを圧力エネルギーに変換するベーンドディフューザ１１が設けられている。そして、ベーンドディフューザ１１は、ケーシング３のハブ側壁面３ｂに埋設された環状（略円環状）のディフューザプレート１３と、ケーシング３におけるシュラウド側壁面３ａとハブ側壁面３ｂによって形成される環状のディフューザ流路ＤＰ内に周方向へ間隔を置いて配設されたかつ基縁部がディフューザプレート１３にそれぞれ一体的に連結された複数のディフューザベーン１５を備えている。ここで、環状のディフューザプレート１３と複数のディフューザベーン１５によって、遠心圧縮機１に用いられるディフューザベーンユニットが構成されるものである。また、ディフューザプレート１３の一側面（ディフューザベーン１５の基端部が連結された面）は、略平面状になっている。
【００２５】
なお、環状のディフューザプレートの代わりに、複数の円弧状のディフューザプレートに分割可能なディフューザプレートを用い、複数の円弧状のディフューザプレートを周方向に配設することによって、複数のディフューザプレートが環状を呈するようにしても構わない。また、図６に示すように、ディフューザプレート１３がケーシング３のハブ側壁面３ｂに埋設される代わりに、ケーシング３のシュラウド側壁面３ａに埋設されるようにしてもよい。
【００２６】
図１、図２（ａ）（ｂ）、及び図３（ａ）（ｂ）（ｃ）に示すように、各ディフューザベーン１５の基縁部の周縁には、フィレットアール１７がそれぞれ形成されている。そして、各ディフューザベーン１５におけるフィレットアール１７は、それぞれ、下流側（換言すれば、後縁側）１７ｐの曲率半径（フィレット半径）Ｒが上流側（換言すれば、前縁側）１７ｆの曲率半径Ｒよりも大きくなっている。
【００２７】
なお、各ディフューザベーン１５におけるフィレットアール１７は、それぞれ、例えば鋳造加工により曲率半径Ｒが上流側１７ｆから下流側１７ｐにかけて徐々に（無段階的に）大きくなるようにしているが、例えば先端形状の異なる複数の切削工具（例えば刃径の異なる複数のバイト等）を用いた切削加工により上流側１７ｆから下流側１７ｐにかけて段階的に大きくなるようにしても構わない。
【００２８】
各ディフューザベーン１５の上流側縁部（前縁部）の翼断面形状（図１において矢視部IV-IV線に沿った横断面形状）は、それぞれ、半円形状の場合（図４（ａ）参照）と、曲率半径が先端側に向かって漸次に小さくなるような曲線形状の場合（図４（ｂ）参照）がある。なお、本発明の実施形態にあっては、曲線形状とは、具体的には、コード方向に沿った方向を長軸方向Ｌｅとし、長軸方向Ｌｅに対して直交する方向を短軸方向Ｌｓとして規定される半楕円形状であるが、曲率半径が先端側に向かって漸次に小さくなるような放物線形状であっても構わない。
【００２９】
なお、ディフューザ流路ＤＰの周縁部には、スクロール流路（図示省略）が形成されており、このスクロール流路は、内燃機関の吸気マニホールド（図示省略）に接続されている。
【００３０】
続いて、本発明の実施形態の作用及び効果について説明する。
【００３１】
タービンホイールの回転によってハブ７を回転させて、複数のインペラブレード９を一体的に回転させることにより、導入口５から圧縮領域ＣＲ側に導入した空気を遠心力を利用して圧縮する。そして、圧縮された空気は、ベーンドディフューザ１１により昇圧されてディフューザ流路ＤＰから排気される。なお、ディフューザ流路ＤＰから排気された空気は、スクロール流路を経由して内燃機関の吸気マニホールドに送られる（遠心圧縮機１の一般的な作用）。
【００３２】
また、各ディフューザベーン１５におけるフィレットアール１７は、それぞれ、下流側１７ｐの曲率半径Ｒが上流側１７ｆの曲率半径Ｒよりも大きくなっているため、ディフューザベーン１５の入口側の流路面積を十分に確保した上で、ディフューザベーン１５の出口側の流路面積を縮小すると共に、ディフューザベーン１５とディフューザプレート１３との境界部分の近傍における空気流の慣性の影響を大きくことができる。これにより、空気のチョーク流量の減少及びディフューザベーン１５の入口側におけるマッハ数（入口マッハ数）の増加を抑制しつつ、ベーンドディフューザ１１による空気の昇圧を抑制しかつディフューザベーン１５とディフューザプレート１３との境界部分の近傍における二次流れを低減して、図６（ａ）（ｂ）に示すように、ディフューザベーン１５の出口側においてエネルギー損失の大きな領域（図６（ａ）（ｂ）において点ハッチを施した領域）を縮小することができる。なお、エネルギー損失の大きな領域は、ＣＦＤ解析によって求めている。（遠心圧縮機１の特有の作用（１））。
【００３３】
また、各ディフューザベーン１５の上流側縁部の翼断面形状がそれぞれ曲線形状（半楕円形状又は放物線形状）である場合にあっては、入口マッハ数の高い空気流がディフューザベーン１５の上流側縁部に衝突しても、ディフューザベーン１５の翼面に沿う流れを十分に確保して、ディフューザベーン１５の翼面における境界層の発達を十分に抑制することができる（遠心圧縮機１の特有の作用（２））。
【００３４】
従って、本発明の実施形態によれば、空気のチョーク流量の減少及びディフューザベーン１５の入口マッハ数の増加を抑制しつつ、ディフューザベーン１５の出口側においてエネルギー損失の大きな領域を縮小することができるため、遠心圧縮機１の作動域を十分に確保しかつ隣接するディフューザベーン１５間におけるエネルギー損失の減少させた上で、ディフューザベーン１５の出口側へ流れた空気の一部が逆流することを抑制しつつ、ディフューザベーン１５の出口側においてエネルギー損失の大きな領域を縮小して、遠心圧縮機１の圧縮機効率を十分に向上させることができる。
【００３５】
また、各ディフューザベーン１５の上流側縁部の翼断面形状がそれぞれ曲線形状である場合にあっては、入口マッハ数の高い空気流がディフューザベーン１５の上流側縁部に衝突しても、ディフューザベーン１５の翼面に沿う流れを十分に確保して、ディフューザベーン１５の翼面における境界層の発達を十分に抑制できるため、遠心圧縮機１の圧力比を高く設定した上で、隣接するディフューザベーン１５間における圧力損失を小さくして、遠心圧縮機１の圧縮機効率をより一層向上させることができる。
【００３６】
本発明は、前述の実施形態の説明に限られるものではなく、その他、種々の態様で実施可能である。また、本発明に包含される権利範囲は、これらの実施形態に限定されないものである。
【図面の簡単な説明】
【００３７】
【図１】本発明の実施形態に係る遠心圧縮機の断面図である。
【図２】図２（ａ）は、本発明の実施形態に係るディフューザベーンをケーシングのシュラウド側壁面から見た図、図２（ｂ）は、本発明の実施形態に係るディフューザベーンの斜視図である。
【図３】図３（ａ）は、図２（ａ）におけるIIA-IIA線に沿った拡大断面図、図３（ｂ）は、図２（ａ）におけるIIB-IIB線に沿った拡大断面図、図３（ｃ）は、図２（ａ）におけるIIC-IIC線に沿った拡大断面図である。
【図４】図４（ａ）（ｂ）は、本発明の実施形態に係るディフューザベーンの上流側縁部の翼断面形状を示す図である。
【図５】図５（ａ）は、本発明の実施形態に係るディフューザベーンの等スパン面におけるエネルギー損失の大きい領域を示す図、図５（ｂ）は、本発明の実施形態に係るディフューザベーンの出口側でかつ空気の流れ方向に直交する面におけるエネルギー損失の大きい領域を示す図である。
【図６】本発明の実施形態にの変形例に係る遠心圧縮機の断面図である。
【図７】従来の遠心圧縮機の断面図である。
【図８】図８（ａ）は、従来のディフューザベーンをケーシングのシュラウド側壁面から見た図、図８（ｂ）は、従来のディフューザベーンの斜視図である。
【図９】図９（ａ）は、ディフューザベーンの等スパン面におけるエネルギー損失の大きい領域を示す図、図９（ｂ）は、ディフューザベーンの出口側でかつ空気の流れ方向に直交する面におけるエネルギー損失の大きい領域を示す図である。
【符号の説明】
【００３８】
１            遠心圧縮機
３            ケーシング
３ａ          シュラウド側壁面
３ｂ          ハブ側壁面
５            導入口
７            ハブ
９            インペラブレード
１１            ベーンドディフューザ
１３            ディフューザプレート
１５            ディフューザベーン
１７            フィレットアール
１７ｆ          前縁側
１７ｐ          後縁側
ＣＲ          圧縮領域
ＤＰ          ディフューザ流路
Ｌｅ          長軸方向
Ｌｓ          短軸方向
ＴＳ          タービン軸
【図１】
2009197613.tif 000003
【図２】
2009197613.tif 000004
【図３】
2009197613.tif 000005
【図４】
2009197613.tif 000006
【図５】
2009197613.tif 000007
【図６】
2009197613.tif 000008
【図７】
2009197613.tif 000009
【図８】
2009197613.tif 000010
【図９】
2009197613.tif 000011